(57)【要約】  本発明は、ゲームの開始から終了までおよび払い戻しの間、ゲーム全体を管理することによって、予想外の何かが起こったとき、進行中のゲームをカジノが直ちに中止できるようにすることが可能なテーブルゲーム監視システムを提供することを目的とする。カードゲーム監視システムは、賭けている人（２）が賭け領域（４）上に賭け金（３）を置くゲームテーブル（１）と、カード（６）の数（ランク）およびマークを読み取り、記録するカード読取部を有するカードシュータ装置と、カード読取部（５）が順次読み取ったカードの数（ランク）およびマークの情報に基づいて、テーブルゲームのルールに従い、勝ち手を判定する制御部（７）と、カードの位置を撮り、ゲームテーブル（１）の各賭け領域（４）上の賭け金（３）を識別する監視ビデオカメラシステム（８）とを有し、制御部（１０）は、各ゲームの終了時、ペイオフ（３Ｗ）と共に賭け金（３）が、カードシュータ装置（５）が判定した賭けている人（２）のうち勝者（Ｗ）のプール（１２）に移動するかどうかを確認する処理機能をさらに有する。
2017505661.tif 000002
【特許請求の範囲】
【請求項１】
賭けている人が賭け領域上に賭け金を置くことによって賭けをするゲームテーブルと、
前記ゲームテーブル上に置かれ、カードの数（ランク）を読み取るカード読取部を有し、前記カード読取部が順次読み取った前記カードの数の情報に基づいて、テーブルゲームのルールに従い、勝ち手を判定する制御部を有するカードシュータ装置と、
前記カードシュータ装置から賭けている人に配られた前記カードの位置を撮り、前記ゲームテーブルの各賭け領域上の賭け金を識別する監視ビデオカメラシステムとを有する、テーブルゲームをプレイするためのカードゲーム監視システムであって、
前記制御部は、前記監視ビデオカメラシステムの前記情報を用いて、
１）各賭け領域上の前記賭け金または各賭けている人に配られたカードを識別することによって、各ゲームをプレイしている前記賭けている人の頭数と、
２）各賭けている人が、前記カードシュータ装置から２枚より多いカードをもらうかどうかと、
３）前記ゲームのルールに従い、前記賭けている人の頭数の前記情報を用いて、前記カードシュータ装置が読み取った前記情報に従って前記賭けている人およびディーラの各手札と、
４）前記賭けている人および前記ディーラの各手札の前記情報に基づいて、前記ゲームのルールに従い、前記ゲームの前記勝ち手を有する勝者とを判定する処理機能を有する、カードゲーム監視システム。
【請求項２】
前記制御部は、前記ディーラが配った前記ゲームテーブル上のトランプのランクを識別し、カードのランクが、前記カードシュータ装置が判定したものと同一であるかどうかを確認し通知する処理機能をさらに有する、請求項１に記載のカードゲーム監視システム。
【請求項３】
前記カードシュータ装置は、各ゲームの開始と終了に関する判定機能をさらに有する、請求項１に記載のカードゲーム監視システム。
【請求項４】
前記制御部は、各ゲーム中、賭け金が元の賭け位置から他の領域に移動しないかどうかを確認する処理機能をさらに有する、請求項３に記載のカードゲーム監視システム。
【請求項５】
ゲーム用のカードゲーム監視システムであって、
賭けている人が、勝つと思われるバンカーの手とプレイヤの手のうちの何れかの賭け領域に賭け金を置くことによって賭けを行うゲームテーブルと、
前記ゲームテーブル上に置かれ、カードが前記テーブル上に配られるときに前記カードの数を読み取るカード識別機能を有するカードシュータ装置と、
前記ゲームテーブル上のカードおよび前記賭け金の移動を撮る監視ビデオカメラシステムと、
前記カードシュータ装置が読み取った前記カードの数の情報とともに、ゲームのルールに従って、勝ち手が前記バンカーであるか前記プレイヤであるかを判定する処理機能を有する制御部とを有し、
前記制御部は、各ゲームが終了した後、ペイオフと共に賭け金が、前記賭けている人のうちの前記勝者のところに移動するかどうかを確認する処理機能を有する、カードゲーム監視システム。
【請求項６】
前記制御部は、前記ディーラが配った前記ゲームテーブル上のトランプのランクを識別し、カードのランクが、前記カードシュータ装置が判定したものと同一であるかどうかを確認し通知する処理機能をさらに有する、請求項５に記載のカードゲーム監視システム。
【請求項７】
前記カードシュータ装置は、各ゲームの開始と終了に関するさらなる判定機能を有する、請求項５に記載のカードゲーム監視システム。
【請求項８】
前記制御部は、各ゲーム中に、賭け金が元の賭け位置から他の領域へ移動しないかどうかを確認するさらなる処理機能を有する、請求項７に記載のカードゲーム監視システム。
【請求項９】
前記監視ビデオカメラシステムはさらに、前記ゲームテーブル上の賭け金の移動の方向を読み取り、
前記制御部は、各ゲームの終了時、ペイオフと共に賭け金が、前記カードシュータ装置が判定した前記賭けている人のうちの前記勝者のところに移動するかどうかを確認する処理機能をさらに有する、請求項１に記載のカードゲーム監視システム。
【発明の詳細な説明】
【技術分野】
【０００１】
本発明は、賭けている人が賭けている人の正面のゲームテーブルの賭け領域上で賭けをする、プレイの開始に先立って一緒にシャッフルされた複数のデッキを有するシューターのトランプを用いるテーブルゲーム用のテーブルゲーム監視システムに関する。このテーブルゲーム監視システムは、勝者となった賭けている人の賭け金が、勝者の適切な領域に移動するかどうかを監視する。
【背景技術】
【０００２】
バカラやブラックジャックは、カジノまたはゲーム施設で行われる多くのライブテーブルゲームのうちの１つである。これらのゲームは、標準のデッキである５２枚のトランプを使用し、通常、プレイの開始に先立って一緒にシャッフルされた複数のデッキ（６から９または１０のデッキ）を有するシューターから配られる。カジノで操作する人々（以下、「ディーラ」）が、そのようなゲームのプレイのためにゲームテーブルにトランプを配るとき、カードの紛失または賭けている人の間でのカードの交換などは、起こるべきでなく、また、各ゲームが終了した後、ペイオフと共に賭け金は、賭けている人のうちの勝者のところに正確に行かなければならない。
【０００３】
ゲーム中のそのような紛失または交換を防ぐことによって、公正なゲームを確実にするには、カジノのゲームテーブルは、テーブルでのゲームが適切にプレイされ（すなわち、カードの交換または他のいかなる不測のもしくは詐欺的な行為などがない）、賭け金が正確に勝者に払い戻されるように、管理されるべきである。カメラによってゲームテーブルを監視するシステムは既知であり、特許文献１（米国特許第６，５８２，３０１号）に開示されている。この既知のシステムは、テーブルゲームを監視し、何らかの不適切な行為が起きたと考えられる場合、後で解析するため、ゲーム全体を記録するだけである。
【発明の概要】
【発明が解決しようとする課題】
【０００４】
本発明は、テーブルゲームのリアルタイムでの監視を提供し、ゲームの開始から終了までゲーム全体を管理することによって、予想外の何かが起こったとき、進行中のゲームをカジノが直ちに中止することを可能にする。
【０００５】
本発明は、上記の問題を考慮してなされ、ゲームの開始から終了までおよび払い戻しの間ゲーム全体を管理することによって、予想外の何かが起こったとき、進行中のゲームをカジノが直ちに中止できるようにすることが可能なテーブルゲーム監視システムの提供を目的とする。
【課題を解決するための手段】
【０００６】
上記の従来の問題を解決するために、本発明は、賭けている人が賭け領域で賭けをするゲームテーブルと、ゲームテーブル上に置かれ、カードの数（ランク）を読み取るカード読取部を有し、カード読取部が順次読み取ったカードの数の情報に基づいて、テーブルゲームのルールに従い、勝ち手を判定する制御部を有するカードシュータ装置と、カードシュータ装置から賭けている人に配られたカードの位置を撮り、ゲームテーブルの各賭け領域上の賭け金を識別する監視ビデオカメラシステムとを有するカードゲーム監視システムであって、制御部は、監視ビデオカメラシステムの情報を用いて、１）各賭け領域上の賭け金または賭けている人に配られたカードを識別することによって、各ゲームをプレイする賭けている人の頭数と、２）各賭けている人が、カードシュータ装置から２枚より多いカードをもらうかどうかと、３）ゲームのルールに従い、賭けている人の頭数の情報を用いて、カードシュータ装置が読み取った情報に従って賭けている人およびディーラの各手札と、４）賭けている人およびディーラの各手札の情報に基づいて、ゲームのルールに従い、ゲームの勝ち手を有する勝者とを判定する処理機能を有し、監視ビデオカメラシステムはさらに、ゲームテーブル上の賭け金の移動を読み取り、制御部は、各ゲームの終了時、ペイオフと共に賭け金が、カードシュータ装置が判定する賭けている人のうちの勝者のところに移動するかどうかを確認する処理機能をさらに有するカードゲーム監視システムを提供する。
【０００７】
カードゲーム監視システムで、制御部は、さらに、ディーラが配ったゲームテーブル上のトランプのランクを識別し、カードのランクが、カードシュータ装置によって判定されたものと同一かどうかを確認し通知する処理機能を有する。
【図面の簡単な説明】
【０００８】
【図１】本発明の実施形態１によるテーブルゲームシステムの全体を示す概略図である。
【図２】本発明の実施形態２によるテーブルゲームシステムの全体を示す概略図である。
【発明を実施するための形態】
【０００９】
本発明の実施形態１は、添付の図面を参照して記載する。本発明の実施形態１は、ブラックジャックをプレイするためのカードゲーム監視システムを提供する。図１で、カードゲーム監視システムは、賭けている人２が賭け領域４に賭け金３を置くことによって賭けをするゲームテーブル１と、ゲームテーブル１上に置かれ、カード６の数（ランク）およびマークを読み取るカード読取部を有し、カード読取部５が順次読み取ったカードの数（ランク）の情報に基づいて、テーブルゲームのルールに従い、勝ち手を判定する制御部７を有するカードシュータ装置とを有する。
【００１０】
いくつかのカメラ９を有する監視ビデオカメラシステム８は、各ゲームテーブル１の上部に取り付けられて、カードシュータ装置５から賭けている人２に配られたカード６の位置を撮る。監視ビデオカメラシステム８は、ゲームテーブル１の各賭け領域４上の賭け金３を識別し、制御部１０は、監視ビデオカメラ９の情報を用いて、１）各賭け領域上の賭け金または各賭けている人２に配られたカードの位置を識別することによって、各ゲームをプレイする賭けている人の頭数（図１に示すのは３人（頭））と、２）ディーラ１１が各賭けている人２にカードシュータ装置５から配ったカードの数（各賭けている人２が２枚以上のカードをもらうかどうか）とを判定する処理機能を有する。
【００１１】
制御部１０は、さらに、監視ビデオカメラ９からの情報を用いた処理機能を備えて、賭けている人２の頭数の結果の情報を用い、カードシュータ装置５の制御部７にインストールされたゲームのルールに従い、カードシュータ装置５が読み取った情報に従って、賭けている人２およびディーラ１１の各手札を判定する。そして、制御部７は、賭けている人２およびディーラ１１の手札の情報に基づいて、ゲームの勝ち手を有する勝者Ｗを判定することになる。
【００１２】
カードシュータ装置５は、各カードの方向性（監視ビデオカメラシステム８を通じて、カードシュータ装置５が読み取った各カードを誰がもらうか）を知っており、カードシュータ装置５（制御部７）は、自らのプログラムにより、賭けている人２およびディーラ１１が持つ手札を把握することになる。制御部１０は、各ゲームの終了時、ペイオフ３Ｗと共に賭け金３が、カードシュータ装置５が判定した賭けている人２のうち勝者２Ｗのプール１２に移動するかどうかを確認する処理機能をさらに有する（図１で、勝者の場合はＭ、敗者の場合はＬの移動）。
【００１３】
（制御部１０を備えた）監視ビデオカメラシステム８は、さらに、監視ビデオカメラ９からのピクチャを解析して、ディーラ１１が配ったゲームテーブル上の賭けている人２の各手札（数）を判定することによって、トランプ６のランクを識別し、カード６のマークおよびランクが、カードシュータ装置５が読み取り、判定したものと同一であるかどうかを確認する処理機能を有する。
【００１４】
監視ビデオカメラシステム８（制御部１０）は、さらに、賭けている人２の各賭け領域４上のチップを数えることにより、賭け金３の総額を識別する処理機能を有する。賭け金３の各総額は、各賭け領域４上のチップの色および高さについて監視ビデオカメラ９から得られるピクチャを解析することによって計算される。この目的のための特別なビデオカメラ９ｓは、ゲームテーブル１の周りに置かれて、賭け金３のチップの側面からの図をとりうる。
【００１５】
図２は、本発明の実施形態２の例を示す。本発明の実施形態２は、ゲーム（バカラ）をプレイするためのカードゲーム監視システムを提供する。図２で、カードゲーム監視システムは、賭けている人２が賭け領域２４に賭け金３を置くことによって賭けをするゲームテーブル２１と、ゲームテーブル２１上に置かれ、カード６の数（ランク）およびマークを読み取るカード読取部を有し、カードシュータ装置２５が順次読み取ったカード６の数（ランク）の情報に基づいて、テーブルゲームのルールに従い、勝ち手を判定する制御部２７を有するカードシュータ装置２５とを有する。
【００１６】
監視ビデオカメラシステム２８は、ゲームテーブル上のカード、および賭け金３の移動を読み取る。カードシュータ装置２５の制御部２７は、カードシュータ装置２５が読み取ったカードの数（ランク）の情報および制御部２７のバカラゲームのルールに基づいて、勝ち手がバンカーであるかプレイヤであるかを判定する処理機能を有する。カードゲーム監視システムの制御部３０は、各ゲームが終了した後、ペイオフ３Ｗと共に賭け金３が、賭けている人２のうち勝者２Ｗのプール２２に移動するかどうかを確認する処理機能を有する。
【００１７】
カードシュータ装置２５は、各カードがバカラのゲームルールに従って配られた場所（バンカーまたはプレイヤ）を知っており、（制御部２７を備えた）カードシュータ装置２５は、バンカーおよびプレイヤの各手札を計算することになる。このやり方で、カードシュータ装置２５は、勝ち手がバンカーであるかプレイヤであるかを判定する。制御部３０は、各ゲームの終了時、ペイオフ３Ｗと共に賭け金３が、カードシュータ装置２５が判定した賭けている人２のうちの勝者２Ｗのプール２２に移動するかどうかを確認するさらなる処理機能を有する（図２で、勝者の場合はＭ、敗者移動Ｍの場合はＬの移動）。
【００１８】
（制御部３０を備えた）監視ビデオカメラシステム２８は、さらに、監視ビデオカメラ２９から得たピクチャを解析することによって、ディーラ１１が配ったゲームテーブル２１上のトランプ６のランクを識別する処理機能を有する。このカードゲーム監視システムは、カード６のマークおよびランクが、カードシュータ装置２５が読み取り、判定したものと同一であるか確認し、カード６のマークおよびランクが、カードシュータ装置２５が配り、読み取ったものと同一であるかどうかの結果を、カジノの管理セクションに通知する。
【００１９】
管理ビデオカメラシステム２８（制御部３０）は、さらに、賭けている人２の各賭け領域２４上のチップを数えることにより、賭け金３の総額を識別する処理機能を有する。賭け金３の各総額は、各賭け領域２４上のチップの色および高さについて監視ビデオカメラ２９から得られるピクチャを解析することによって計算される。この目的のための特別なビデオカメラ２９ｓは、ゲームテーブル２１の周りに置かれて、賭け金３のチップの側面からの図をとりうる。
【００２０】
実施形態１および実施形態２の両方の例で、監視ビデオカメラシステム８および監視ビデオカメラシステム２８は、ＣＣＤを用い、視覚解析の既知の技術を通じて、ビデオカメラ９、ビデオカメラ９ｓ、ビデオカメラ２９、およびビデオカメラ２９ｓがとったピクチャを解析することによって、賭け金３の位置、および、各賭け領域４および賭け領域２４上のチップの色および高さについて賭け金３の総額を識別することができる。監視ビデオカメラシステム８および監視ビデオカメラシステム２８はまた、カード３の位置を識別し、賭けの際に示すカードの表側を解析することもできる。
【００２１】
本明細書および明細書に続く特許請求の範囲にわたって、内容が別段のことを要しない限り、「comprise（備える）」という語、ならびに「comprises」および「comprising」などの変形は、記述された整数もしくはステップまたは整数群もしくはステップ群を含むが、その他の整数もしくはステップまたは整数群もしくはステップ群を除外するものではないことを意味すると理解されよう。
【００２２】
付記１
上述のカードゲーム監視システムにおいて、カードシュータ装置は、監視ビデオカメラシステムを用いて、バカラまたはブラックジャックのルールに従った各ゲームの開始と終了に関するカードゲームの判定機能をさらに有する。
【００２３】
付記２
上述のカードゲーム監視システムにおいて、制御部は、各ゲームが開始されて終了するまでの間（各ゲーム中）、賭け金が元の賭け位置から他の領域に移動しないかどうかを確認する処理機能をさらに有する。
【００２４】
付記３
上述のカードゲーム監視システムにおいて、制御部は、各ゲームの開始前に、賭けが開始されるときを判定する判定機能を有する（賭け開始は、第１のベットが賭け領域上に置かれた時間を示す）。
【００２５】
付記４
上述のカードゲーム監視システムにおいて、制御部は、各ゲームの開始前に、賭けが終了するときを判定する判定機能を有する（賭け終了は、第１のカードがカードシュータ装置から配られた時間を示す）。また、制御部は、監視ビデオカメラシステムからの情報を用いて、「ノーモアベット」と呼ばれる賭け終了を表すディーラの手の動きを判定する処理機能を有する。
【００２６】
付記５
上述のカードゲーム監視システムにおいて、制御部は、各ゲームの終了後に、払い戻しが完了したときを判定する判定機能を有する。
【００２７】
付記６
上述のカードゲーム監視システムにおいて、制御部は、監視ビデオカメラの情報をカジノのバックヤードに送信する送信機能を有する。
【００２８】
付記７
上述のカードゲーム監視システムにおいて、制御部は、エラーを判定する判定機能を有し、カードゲーム監視システムは、カードシュータ装置および／またはカードゲーム監視システムに組み込まれた関連システムのコンポーネントにおいて、エラー判定の結果として、表示および／または警告によってエラー信号を出力する出力手段をさらに有する。上述のエラーは、以下の項目うちの少なくとも１つを含む。
１）ディーラが配ったゲームテーブル上のカードゲーム監視システムによって識別されるトランプのランクが、カードシュータ装置が判定したものと同一ではない。
２）賭け金が、各ゲーム中、元の賭け位置から他の領域に移動した。
３）各ゲームの終了時、ペイオフと共に賭け金が、賭けている人のうちの勝者のところへ移動しなかった。
【００２９】
付記８
上述のカードゲーム監視システムにおいて、制御部は、カードシュータ装置から配られたカットカードを識別する判定機能を含む。
【図１】
2017505661.tif 000003
【図２】
2017505661.tif 000004
【国際調査報告】
2017505661.tif 000005
2017505661.tif 000006